【手続補正書】
【提出日】平成18年2月28日(2006.2.28)
【手続補正１】
【補正対象書類名】明細書
【補正対象項目名】発明の名称
【補正方法】変更
【補正の内容】
【発明の名称】通信システム、通信装置、及び通信方法
【手続補正２】
【補正対象書類名】明細書
【補正対象項目名】特許請求の範囲
【補正方法】変更
【補正の内容】
【特許請求の範囲】
【請求項１】  データの送受信を同時に行う第１の装置と第２の装置とを有する通信システムにおいて、
前記第１の装置に設けられ、受信データの異常を判別する異常判別手段と、
前記第１の装置に設けられ、前記異常判別手段により判別された判別結果を、前記第２の装置に送信中の送信データに付加する付加手段と、
を有することを特徴とする通信システム。
【請求項２】  前記第１の装置及び前記第２の装置のうち一方は、マスタ装置として機能し、他方はスレーブ装置として機能することを特徴とする請求項１に記載の通信システム。
【請求項３】  前記第２の装置に設けられ、前記第１の装置から送信された送信データに付加されている前記判別結果に基づいて、データの再送を行うか否かを判断する判断手段を更に有することを特徴とする請求項１又は請求項２に記載の通信システム。
【請求項４】  前記第２の装置のデータ送信の開始タイミングと、前記第１の装置のデータ送信の開始タイミングとは一致したタイミングであり、且つ、前記第２の装置が送信するデータの長さは、前記第１の装置が送信するデータの長さよりも短いことを特徴とする請求項１乃至請求項３の何れかに記載の通信システム。
【請求項５】  前記第２の装置に設けられ、前記第１の装置の通信制御を行う通信制御手段を更に有することを特徴とする請求項１乃至請求項４の何れかに記載の通信システム。
【請求項６】  前記異常判別手段は、受信データ中のチェックサムに基づいて、該受信データの異常を判別することを特徴とする請求項１乃至請求項５の何れかに記載の通信システム。
【請求項７】  前記異常判別手段は、受信データ中のパリティーデータに基づいて、該受信データの異常を判別することを特徴とする請求項１乃至請求項５の何れかに記載の通信システム。
【請求項８】  通信相手と互いに同時にデータを送受信する通信装置において、
前記通信相手からの受信データの異常を判別する判別手段と、
前記判別手段による判別結果を、前記通信相手に送信中の送信データに付加する付加手段と、
を有することを特徴とする通信装置。
【請求項９】  前記通信相手及び前記通信装置のデータ送信の開始タイミングは一致したタイミングであり、且つ、前記通信相手が送信するデータの長さは、前記通信装置が送信するデータの長さよりも短いことを特徴とする請求項８に記載の通信装置。
【請求項１０】  通信装置において、
通信相手にデータを送信する送信手段と、
前記送信手段によるデータ送信と並行して、前記通信相手からのデータを受信する受信手段と、
前記送信手段によりN回目に送信したデータの異常を、該N回目のデータ送信と同時に受信を開始した受信データに基づいて判別する判別手段と、
を有することを特徴とする通信装置。
【請求項１１】  前記判別手段による判別結果に応じて、前記N回目に送信したデータをN+１回目に再送する再送手段を更に有することを特徴とする請求項１０に記載の通信装置。
【請求項１２】  データの送受信を同時に行う第１の装置と第２の装置とを有する通信システムの通信方法において、
前記第１の装置が、受信データの異常を判別する異常判別ステップと、
前記第１の装置が、前記異常判別ステップにおいて判別された判別結果を、前記第２の装置に送信中の送信データに付加する付加ステップと、
を有することを特徴とする通信システムの通信方法。
【手続補正３】
【補正対象書類名】明細書
【補正対象項目名】０００１
【補正方法】変更
【補正の内容】
【０００１】
【発明の属する技術分野】
本発明は、通信システム、通信装置、及び通信方法に関する。
【手続補正４】
【補正対象書類名】明細書
【補正対象項目名】０００７
【補正方法】変更
【補正の内容】
【０００７】
本発明はこのような問題点に鑑みてなされたものであって、受信データの異常時におけるデータの再送処理の迅速化を図った通信システム、通信装置、及び通信方法を提供することを目的とする。
【手続補正５】
【補正対象書類名】明細書
【補正対象項目名】０００８
【補正方法】変更
【補正の内容】
【０００８】
【課題を解決するための手段】
本発明は、データの送受信を同時に行う第１の装置と第２の装置とを有する通信システムにおいて、前記第１の装置に設けられ、受信データの異常を判別する異常判別手段と、前記第１の装置に設けられ、前記異常判別手段により判別された判別結果を、前記第２の装置に送信中の送信データに付加する付加手段と、を有することを特徴とする通信システムを提供する。
また本発明は、通信相手と互いに同時にデータを送受信する通信装置において、前記通信相手からの受信データの異常を判別する判別手段と、前記判別手段による判別結果を、前記通信相手に送信中の送信データに付加する付加手段と、を有することを特徴とする通信装置を提供する。
また本発明は、通信装置において、通信相手にデータを送信する送信手段と、前記送信手段によるデータ送信と並行して、前記通信相手からのデータを受信する受信手段と、前記送信手段によりN回目に送信したデータの異常を、該N回目のデータ送信と同時に受信を開始した受信データに基づいて判別する判別手段と、を有することを特徴とする通信装置を提供する。
また本発明は、データの送受信を同時に行う第１の装置と第２の装置とを有する通信システムの通信方法において、前記第１の装置が、受信データの異常を判別する異常判別ステップと、前記第１の装置が、前記異常判別ステップにおいて判別された判別結果を、前記第２の装置に送信中の送信データに付加する付加ステップと、を有することを特徴とする通信システムの通信方法を提供する。
【手続補正６】
【補正対象書類名】明細書
【補正対象項目名】０１３８
【補正方法】削除
【補正の内容】
【手続補正７】
【補正対象書類名】明細書
【補正対象項目名】０１３９
【補正方法】削除
【補正の内容】
【手続補正８】
【補正対象書類名】明細書
【補正対象項目名】０１４０
【補正方法】削除
【補正の内容】
【手続補正９】
【補正対象書類名】明細書
【補正対象項目名】０１４１
【補正方法】削除
【補正の内容】
【手続補正１０】
【補正対象書類名】明細書
【補正対象項目名】０１４２
【補正方法】削除
【補正の内容】
【手続補正１１】
【補正対象書類名】明細書
【補正対象項目名】０１４３
【補正方法】削除
【補正の内容】
【手続補正１２】
【補正対象書類名】明細書
【補正対象項目名】０１４４
【補正方法】削除
【補正の内容】
【手続補正１３】
【補正対象書類名】明細書
【補正対象項目名】０１４５
【補正方法】削除
【補正の内容】
【手続補正１４】
【補正対象書類名】明細書
【補正対象項目名】０１４６
【補正方法】削除
【補正の内容】
【手続補正１５】
【補正対象書類名】明細書
【補正対象項目名】０１４７
【補正方法】削除
【補正の内容】
【手続補正１６】
【補正対象書類名】明細書
【補正対象項目名】０１４８
【補正方法】削除
【補正の内容】
【手続補正１７】
【補正対象書類名】明細書
【補正対象項目名】０１４９
【補正方法】削除
【補正の内容】
【手続補正１８】
【補正対象書類名】明細書
【補正対象項目名】０１５０
【補正方法】削除
【補正の内容】
【手続補正１９】
【補正対象書類名】明細書
【補正対象項目名】０１５１
【補正方法】削除
【補正の内容】
【手続補正２０】
【補正対象書類名】明細書
【補正対象項目名】０１５２
【補正方法】削除
【補正の内容】
【手続補正２１】
【補正対象書類名】明細書
【補正対象項目名】０１５３
【補正方法】削除
【補正の内容】
【手続補正２２】
【補正対象書類名】明細書
【補正対象項目名】０１５４
【補正方法】削除
【補正の内容】
【手続補正２３】
【補正対象書類名】明細書
【補正対象項目名】０１５５
【補正方法】削除
【補正の内容】
【手続補正２４】
【補正対象書類名】明細書
【補正対象項目名】０１５６
【補正方法】削除
【補正の内容】
【手続補正２５】
【補正対象書類名】明細書
【補正対象項目名】０１５７
【補正方法】削除
【補正の内容】
【手続補正２６】
【補正対象書類名】明細書
【補正対象項目名】０１５８
【補正方法】削除
【補正の内容】
【手続補正２７】
【補正対象書類名】明細書
【補正対象項目名】０１５９
【補正方法】削除
【補正の内容】
【手続補正２８】
【補正対象書類名】明細書
【補正対象項目名】０１６０
【補正方法】削除
【補正の内容】
【手続補正２９】
【補正対象書類名】明細書
【補正対象項目名】０１６１
【補正方法】削除
【補正の内容】
【手続補正３０】
【補正対象書類名】明細書
【補正対象項目名】０１６２
【補正方法】削除
【補正の内容】
【手続補正３１】
【補正対象書類名】明細書
【補正対象項目名】０１６３
【補正方法】変更
【補正の内容】
【０１６３】
以上のように上記説明によれば、データの送受信を同時に行うマスタ側装置とスレーブ側装置とから成る通信システムにおいて、スレーブ側装置が、受信データの異常を判別し、この判別結果を、マスタ側装置に現在送信中の送信データに付加する。この送信データを受信したマスタ側装置は、送信データに付加されている判別結果に基づいて、データの再送を行うか否かを判別する。
【手続補正３２】
【補正対象書類名】明細書
【補正対象項目名】０１６５
【補正方法】変更
【補正の内容】
【０１６５】
【発明の効果】
本発明によれば、一方の装置での受信データの異常時における他方の装置からのデータの再送処理を迅速化することができる。
【手続補正３３】
【補正対象書類名】明細書
【補正対象項目名】符号の説明
【補正方法】変更
【補正の内容】
【符号の説明】
１  自動原稿搬送装置部（第２の装置）
２  画像読取装置部（第１の装置）
１００  制御回路（自動原稿搬送装置部１）
１０１  ＲＡＭ
１０２  ＲＯＭ
１０３  ＣＰＵ（異常判別手段、付加手段）
１０４  モータＭ１のドライブ回路
１０５  モータＭ３のドライブ回路
１０６  モータＭ４のドライブ回路
１０９  ソレノイドＳＬ１のドライブ回路
１１０  クラッチＣＬ１のドライブ回路
１１１  ウォッチドッグタイマ（ＷＤＴ）
１２０  制御回路（画像読取装置部２）
１２１  ＣＰＵ
１２２  ＲＯＭ
１２３  ＲＡＭ
１２４  Ａ／Ｄ変換回路
１２６  エンコーダ
１２８  ランプのドライブ回路
１２９  ポジションセンサ
１３０  バックアップＲＡＭ
１３１  モータＭ２のドライブ回路
１４１  通信ライン（送信信号Ｔｘ）
１４２  通信ライン（受信信号Ｒｘ）
１４３  信号線（通信開始タイミング基準信号ＤＦ_ＬＯＡＤ）
１４４  信号線（基準クロックＳＣＬＫ）
Ｍ１  給紙モータ
Ｍ２  離間モータ
Ｍ３  リードモータ
Ｍ４  排紙モータ
Ｍ５  ステッピングモータ
Ｓ１  レジストセンサ
Ｓ２  リードセンサ
Ｓ３  排紙センサ
ＳＬ１  排紙離間ソレノイド
ＣＬ１  給紙クラッチ